(57)【要約】【課題】ネットに方形の開口部を設ける際に、該開口部の右辺部と左辺部と下辺部との三辺を切断し、上辺部を切断しない方法で生じた開口部舌片を集球袋の遮蔽材としたものである。集球袋の損耗を減少させることができるバッティング練習用ネットの提供を目的とする。【解決手段】ネットに方形の開口部を設け、該開口部に集球袋を取り付けたバッティング練習用ネットにおいて、ネットに方形の開口部を設ける際に、該開口部の右辺部と左辺部と下辺部とを切断し、生じた開口部舌片を集球袋の遮蔽材とする。【選択図】  図１
2004202161.tif 000002
【特許請求の範囲】
【請求項１】
ネットに方形の開口部を設け、該開口部に集球袋を取り付けたバッティング練習用ネットにおいて、ネットに方形の開口部を設ける際に、該開口部の右辺部と左辺部と下辺部とを切断し、生じた開口部舌片を集球袋の遮蔽材としたことを特徴とするバッティング練習用ネット。
【請求項２】
遮蔽材の下辺部にロープ等の錘を取り付けた請求項１記載のバッティング練習用ネット。
【請求項３】
遮蔽材に着脱自在の的を取り付けた請求項１〜２記載のバッティング練習用ネット。
【発明の詳細な説明】
【０００１】
【発明の属する技術分野】
本発明は、バッティング練習用ネットに関するものである。
【０００２】
【従来の技術】
バッティング練習用ネットに開口部を設け、該開口部に集球袋を取り付ける技術は、従来より実施されている（例えば、特許文献１参照）。
【０００３】
【特許文献１】
特開平１１−１２３２５７号公報（請求項４、第１図）
【０００４】
【発明が解決しようとする課題】
本願発明は、ネットに方形の開口部を設ける際に、該開口部の右辺部と左辺部と下辺部との三辺を切断し、上辺部を切断しない方法で生じた開口部舌片を集球袋の遮蔽材として活用したものである。集球袋の損耗を減少させることができるバッティング練習用ネットの提供を目的とする。
また、この場合、遮蔽材の下辺部にロープ等の錘を付け、遮蔽材が風力やボールの衝撃により捩れたりボールに絡んだりしないバッティング練習用ネットの提供を目的とするものである。さらに遮蔽材に着脱自在の的を取り付け、的の取り付け位置を変えつつ打球方向をコントロールするための練習ができるバッティング練習用ネットの提供を目的とするものである。
【０００５】
【課題を解決するための手段】
上記目的を達成するため、ネットに方形の開口部を設け、該開口部に集球袋を取り付けたバッティング練習用ネットにおいて、ネットに方形の開口部を設ける際に、該開口部の右辺部と左辺部と下辺部とを切断し、生じた開口部舌片を集球袋の遮蔽材とする。
【０００６】
また、上記バッティング練習用ネットにおいて、遮蔽材の下辺部にロープ等の錘を取り付ける。
【０００７】
また、上記各バッティング練習用ネットにおいて、遮蔽材に着脱自在の的を取り付ける。
【０００８】
【発明の実施の形態】
本発明でのバッティング練習用ネットは、ネットに方形の開口部を設け、該開口部に集球袋を取り付けたバッティング練習用ネットにおいて、集球袋に遮蔽材を設けたことを特徴とするものである。
開口部を方形にするのは、開口部の裁断作業及び集球袋の取り付け作業の効率向上を計るためである。この場合、集球袋の形状は角筒状に形成される。
開口部舌片とは、開口部を設けるため右辺部と左辺部と下辺部との三辺を切断することにより生じ、開口部に下垂する舌状のネット片を表現するものである。
また、遮蔽材は、バッティングの打球が一旦遮蔽材に当たってから集球袋に入るようにするためのもので、緩衝材の役割を担い集球袋の損耗を減少させるべく集球袋の前面に垂れ幕のように形成されるものである。
また、方形の開口部はネットの略中央部に設けられ、開口部の上下左右は開口部を逸れた打球を受けるためのネットとして形成される。
本願請求項２により集球袋遮蔽材の下辺部にロープ等の錘を取り付ける場合、ロープのように切れ目なく連なっているもので、その材質は打球が直接当たっても破損しない材質、打球が直接当たってもボールを傷つけない材質、を選定することが望ましい。ロープ等の錘の具体例としては、ロープのほか、ゴムホース、塩ビ管、電線などがある。
本願請求項３により集球袋遮蔽材に着脱自在の的を取り付ける場合、的の形状は特に限定されるものではないが、視認性が高く意識を集中できる形状、図案、色彩を選定することが望ましい。
【０００９】
【実施例】
発明の実施例を図面に基づいて説明する。
図１は、本願バッティング練習用ネットの斜視図である。
ネット１の略中央部に方形の開口部２がネット１の網目を切断する方法により設けられている。開口部右辺部Ａと開口部左辺部Ｂと開口部下辺部Ｃとの三辺が切断され、開口部上辺部Ｄの部分は切断されていない。結果として開口部２の部位に開口部舌片が出来ている。この開口部舌片は、開口部２に取り付けられる集球袋３の遮蔽材４となるものである。また、開口部２の後方部には角筒状の集球袋３が取り付けられている。
ネット１は、上下左右の周端部を、紐などを用い常法によりフレームＥに止められている。またネット１を張ったフレームＥは、スタンドＦによって安定的に立てられている。
なお、図１では、開口部２の後方部に取り付けられた集球袋３は、図解の都合上、側面に引き出した状態で描かれている。
図２は、集球袋の遮蔽材にロープ等の錘と着脱自在の的を取り付けた実施例を示す斜視図である。
請求項２に従い、集球袋３の遮蔽材４の下辺部に、ロープ等の錘５としてロープが網目を縫うように通して取り付けられている。
また、請求項３に従い、集球袋３の遮蔽材４の中央部に、ＥＶＡ発泡体で作られた的６が、移動が可能で着脱自在となるよう紐で結び付けられている。
なお、図２では、開口部２の後方部に取り付けられた集球袋３は、図解の都合上、側面に引き出した状態で描かれている。
【００１０】
【発明の効果】
本発明によるバッティング練習用ネットは、開口部舌片を集球袋の遮蔽材として活用することにより、集球袋に直接打球が当たらなくなるので、集球袋の損耗を減少させることができる。
また、開口部舌片を集球袋の遮蔽材とすることにより、集球袋に直接打球が当たらなくなるので、集球袋をコンパクトに形成することができる。
請求項２により集球袋の遮蔽材下辺部に、ロープ等の錘を取り付けた場合、集球袋が風力やボールの衝撃により捩れたりボールに絡んだりしなくなる。
また、複数個の錘をぶら下げる場合に比べ、ロープ等の錘を取り付ける場合には、ネットの網目にロープ等の錘を串刺しする方法で省力的に取り付けることができる。
請求項３により、集球袋の遮蔽材に着脱自在の的を取り付けた場合、的の取り付け位置を変えつつ打球方向をコントロールするための練習ができる。
また、集球袋の遮蔽材に着脱自在の的を取り付ける場合、遮蔽材にほころびが生じた場合、ほころび部分に的を取り付ける方法により応急処置的にほころびの修理をして練習を続けることが出来る。
【図面の簡単な説明】
【図１】本願バッティング練習用ネットの斜視図である。
【図２】集球袋の遮蔽材にロープ等の錘と着脱自在の的を取り付けた実施例を示す斜視図である。
【符号の説明】
１  ネット
２  開口部
３  集球袋
４  遮蔽材
５  ロープ等の錘
６  着脱自在の的
Ａ  開口部右辺部
Ｂ  開口部左辺部
Ｃ  開口部下辺部
Ｄ  開口部上辺部
Ｅ  フレーム
Ｆ  スタンド
【図１】
2004202161.tif 000003
【図２】
2004202161.tif 000004